(57)【要約】【課題】１本の支柱でコーナー部の一方のメッシュフェンスと他方のメッシュフェンスの両側端部を固定することができ、従来と比較し、施工コストや材料コストを削減することを可能にするフェンスの取付構造を提供する。【解決手段】コーナー部１に立設される支柱３と、一方のメッシュフェンス２ａ及び他方のメッシュフェンス２ｂのそれぞれの一側端部２ｃを支柱３に固定するためのフェンス取付金具５とを備える。フェンス取付金具５は、第１フェンス取付部６と第２フェンス取付部７とを備える。第１フェンス取付部６は、支柱３の一側面に接続して固定する支柱接続部９と、コーナー部１を形成する一辺Ｓ１に沿うように配設されて一方のメッシュフェンス２ａを接続するフェンス接続部１０とを備える。そして、フェンス接続部１０の一方のメッシュフェンス２ａを接続する側の一面１０ａを、支柱接続部９の一面９ａよりも他面側に凹設する。【選択図】図２
2017040146.tif 000002
【特許請求の範囲】
【請求項１】
コーナー部を形成する一辺及び他辺にそれぞれ沿うように、所定の交差角度で一方のメッシュフェンスと他方のメッシュフェンスを配設するためのフェンスの取付構造であって、
前記コーナー部に立設される支柱と、前記一方のメッシュフェンス及び前記他方のメッシュフェンスのそれぞれの一側端部を前記支柱に固定するためのフェンス取付金具とを備えるとともに、前記フェンス取付金具が、前記一方のメッシュフェンスを接続して固定するための第１フェンス取付部と、前記他方のメッシュフェンスを接続して固定するための第２フェンス取付部とを備えており、
且つ、前記第１フェンス取付部は、前記支柱の一側面に接続して固定する支柱接続部と、前記コーナー部を形成する一辺に沿うように配設されて前記一方のメッシュフェンスを接続するフェンス接続部とを備え、前記フェンス接続部の前記一方のメッシュフェンスを接続する側の一面が前記支柱接続部の一面よりも他面側に凹設されていることを特徴とするフェンスの取付構造。
【請求項２】
請求項１記載のフェンスの取付構造において、
前記第１フェンス取付部と前記第２フェンス取付部の少なくとも一方には、メッシュフェンスを接続する側の一面から突出するフェンス引掛部が設けられているフェンスの取付構造。
【請求項３】
請求項１または請求項２に記載のフェンスの取付構造において、
前記第１フェンス取付部が前記支柱接続部から前記フェンス接続部と反対側に所定の長さで延出する持ち出し部を備えており、
前記持ち出し部の延出方向先端側に前記回動機構を介して前記第２フェンス取付部が回動自在に接続されているフェンスの取付構造。
【発明の詳細な説明】
【技術分野】
【０００１】
本発明は、フェンスの取付構造に関し、特にコーナー部のフェンスの取付構造に関する。
【背景技術】
【０００２】
従来、敷地の外周などにフェンスを設置し、敷地境界の明確化、敷地内の視認制限などを図るようにしている。
【０００３】
この種のフェンスには、所定の間隔をあけて立設された複数の支柱と、複数の支柱に支持させてフェンス面を形成するように並設される複数のフェンス本体とを備えて構成したものがある。また、フェンス本体として縦筋（縦線材）と横筋（横線材）を格子状に組み付けてなるメッシュフェンスが多用されている。
【０００４】
ここで、例えば、メッシュフェンスをフェンス本体として用いる場合には、棒状の軸部の先端にフック部を備えたフックボルトを取付金具として用いて、メッシュフェンスを支柱に固定するようにしている。
【０００５】
一方、図４及び図５に示すように、敷地のコーナー部（角部）１などにおいては、隣り合う一方のメッシュフェンス２（２ａ）と、他方のメッシュフェンス２（２ｂ）を所定の交差角度θで配置し、隣接した互いのメッシュフェンス２ａ、２ｂの側端部２ｃ同士を繋げてコーナー部１を形成する（例えば、特許文献１参照）。
【０００６】
また、このとき、一方のメッシュフェンス２ａの一側端部２ｃ側を支柱３で支持し、他方のメッシュフェンス２ｂの一側端部２ｃを支柱３で支持し、これら計２本の支柱３で支持した両メッシュフェンス２ａ、２ｂの側端部２ｃ同士を金具４で固定したり、両メッシュフェンス２ａ、２ｂの側端部２ｃをそれぞれフックボルトなどの金具で固定するようにしている。
【先行技術文献】
【特許文献】
【０００７】
【特許文献１】特開２０００−８６５５号公報
【発明の概要】
【発明が解決しようとする課題】
【０００８】
しかしながら、上記従来のフェンスの取付構造Ｂにおいては、コーナー部１に一方のメッシュフェンス２ａと他方のメッシュフェンス２ｂの隣接配置される側端部２ｃをそれぞれ固定するための２本の支柱３が必要であった。このため、１本の支柱３でコーナー部１の一方のメッシュフェンス２ａと他方のメッシュフェンス２ｂの両側端部２ｃを固定することが、施工コストや材料コストの削減などの観点から強く望まれていた。
【０００９】
本発明は、上記事情に鑑み、１本の支柱でコーナー部の一方のメッシュフェンスと他方のメッシュフェンスの両側端部を固定することができ、従来と比較し、施工コストや材料コストを削減することを可能にするフェンスの取付構造を提供することを目的とする。
【課題を解決するための手段】
【００１０】
上記の目的を達するために、この発明は以下の手段を提供している。
【００１１】
本発明のフェンスの取付構造は、コーナー部を形成する一辺及び他辺にそれぞれ沿うように、所定の交差角度で一方のメッシュフェンスと他方のメッシュフェンスを配設するためのフェンスの取付構造であって、前記コーナー部に立設される支柱と、前記一方のメッシュフェンス及び前記他方のメッシュフェンスのそれぞれの一側端部を前記支柱に固定するためのフェンス取付金具とを備えるとともに、前記フェンス取付金具が、前記一方のメッシュフェンスを接続して固定するための第１フェンス取付部と、前記他方のメッシュフェンスを接続して固定するための第２フェンス取付部とを備えており、且つ、前記第１フェンス取付部は、前記支柱の一側面に接続して固定する支柱接続部と、前記コーナー部を形成する一辺に沿うように配設されて前記一方のメッシュフェンスを接続するフェンス接続部とを備え、前記フェンス接続部の前記一方のメッシュフェンスを接続する側の一面が前記支柱接続部の一面よりも他面側に凹設されていることを特徴とする。
【００１２】
また、本発明のフェンスの取付構造において、前記第１フェンス取付部と前記第２フェンス取付部の少なくとも一方には、メッシュフェンスを接続する側の一面から突出するフェンス引掛部が設けられていることが望ましい。
【００１３】
さらに、本発明のフェンスの取付構造においては、前記第１フェンス取付部が前記支柱接続部から前記フェンス接続部と反対側に所定の長さで延出する持ち出し部を備えており、前記持ち出し部の延出方向先端側に前記回動機構を介して前記第２フェンス取付部が回動自在に接続されていることがより望ましい。
【発明の効果】
【００１４】
本発明のフェンスの取付構造においては、第１フェンス取付部の支柱接続部をボルト、ナット等を用いて支柱の所定位置に接続して固定することにより、第１フェンス取付部のフェンス接続部をコーナー部の一辺に沿って、第２フェンス取付部をコーナー部の他辺に沿って配設することができる。
【００１５】
そして、第１フェンス取付部のフェンス接続部に一方のメッシュフェンスを、第２フェンス取付部に他方のメッシュフェンスをそれぞれ接続して固定することによって、各メッシュフェンスをコーナー部の一辺と他辺にそれぞれ沿うように、所定の交差角度で配設することが可能になる。
【００１６】
よって、本発明のフェンスの取付構造によれば、１本の支柱でコーナー部の一方のメッシュフェンスと他方のメッシュフェンスの両側端部を好適に固定することができ、従来と比較し、施工コストや材料コストを削減することが可能になる。
【００１７】
また、このとき、第１フェンス取付部のフェンス接続部の一方のメッシュフェンスを接続する側の一面が支柱接続部の一面よりも他面側に凹設されている。このため、フェンス接続部に一方のメッシュフェンスを取り付ける際に、支柱接続部を支柱に接続固定するボルトなどに一方のメッシュフェンスが干渉することを確実に防止できる。また、支柱（支柱接続部を接続固定する支柱の側面）に対して一方のメッシュフェンスの横筋を好適な位置に配置することができる。例えば支柱接続部を接続固定する支柱の側面と同一面上に横筋を配して一方のメッシュフェンスを取り付けることができる。これにより、容易に見栄えよくコーナー部の一方のメッシュフェンスを設置することができる。
【００１８】
また、本発明のフェンスの取付構造においては、第１フェンス取付部と第２フェンス取付部の少なくとも一方にフェンス引掛部を突設することにより、一方のメッシュフェンスや他方のメッシュフェンスの横筋をフェンス引掛部に引っ掛け、一方のメッシュフェンスや他方のメッシュフェンスを仮設置することが可能になる。
【００１９】
これにより、ボルト、ナットなどで一方のメッシュフェンスや他方のメッシュフェンスの一側端部を接続固定する際に、作業者がメッシュフェンスを常時支える必要がなく、その施工性を大幅に向上させることが可能になる。
【００２０】
また、本発明のフェンスの取付構造においては、第１フェンス取付部と第２フェンス取付部が回動機構によって相対的に回動自在に接続されていることにより、コーナー部を形成する一辺と他辺の任意の交差角度に第１フェンス取付部と第２フェンス取付部の角度を容易に合わせることができる。
【００２１】
これにより、一方のメッシュフェンスを第１フェンス取付部のフェンス接続部に、他方のメッシュフェンスを第２フェンス取付部にそれぞれ取り付けることで、コーナー部の両メッシュフェンスを任意の交差角度で精度よく、容易に設置することが可能になる。
【００２２】
また、第１フェンス取付部に、支柱接続部を支柱に接続固定した状態でフェンス接続部と反対側に所定の長さで延出する持ち出し部が設けられていることにより、この持ち出し部に回動機構を介して第２フェンス取付部が回動自在に接続される。このため、支柱接続部を支柱に接続するだけで、自動的に回動機構の回動軸の位置を所定の位置に位置決めすることができ、確実且つ容易に第２フェンス取付部をコーナー部を形成する他辺に沿って配設することが可能になる。
【図面の簡単な説明】
【００２３】
【図１】本発明の一実施形態に係るフェンスの取付構造を示す平面視図である。
【図２】本発明の一実施形態に係るフェンスの取付構造を示す平面視図である。
【図３】本発明の一実施形態に係るフェンスの取付構造を示す正面視図である。
【図４】従来のフェンスの取付構造を示す平面視図である。
【図５】従来のフェンスの取付構造を示す斜視図である。
【発明を実施するための形態】
【００２４】
以下、図１から図３（図４、図５）を参照し、本発明の一実施形態に係るフェンスの取付構造について説明する。
【００２５】
はじめに、本実施形態のフェンスは、図１に示すように、例えば、敷地の外周などに設置し、敷地境界の明確化、敷地内の視認制限などを図るためのものであり、所定の間隔をあけて立設された複数の支柱３と、複数の支柱３に支持させてフェンス面を形成するように並設される複数のフェンス本体２とを備えて構成されている。
【００２６】
また、本実施形態では、図１から図３に示すように、フェンス本体として縦筋２ｄと横筋２ｅを格子状に組み付けてなるメッシュフェンス２が用いられている。さらに、このメッシュフェンス２は、縦筋２ｄを円弧状に形成するなどして、その上部側が胴縁状に形成されている。
【００２７】
一方、敷地の外周の直線部分では、隣り合うメッシュフェンス２同士が直線状に配置して並設されるのに対し、敷地の外周のコーナー部（角部）１などにおいては、隣り合う一方のメッシュフェンス２ａの一側端部２ｃと、他方のメッシュフェンス２ｂの一側端部２ｃとがコーナー部１で近接配置されるとともに、一方のメッシュフェンス２ａと他方のメッシュフェンス２ｂがコーナー部１の角度に応じた所定の交差角度θをもって配設される。
【００２８】
そして、本実施形態のフェンスの取付構造Ａは、一方のメッシュフェンス２ａと他方のメッシュフェンス２ｂを所定の交差角度θで並設した状態で保持するための構造であるとともに、従来のように２本の支柱３を用いず、コーナー部１に立設された１本の支柱３に両メッシュフェンス２ａ、２ｂの一側端部２ｃを接続固定し、両メッシュフェンス２ａ、２ｂを所定の交差角度θで配した状態で保持するための構造である。
【００２９】
具体的に、本実施形態のフェンスの取付構造Ａは、断面略方形状の棒状に形成され、隣り合う一側面をコーナー部１を形成する一辺Ｓ１に、他側面をコーナー部１を形成する他辺Ｓ２にそれぞれ沿うようにしてコーナー部１に立設される支柱３と、支柱３の所定の高さ位置に着脱可能に接続して配設されるとともに、コーナー部１を形成する一辺Ｓ１に沿って配設される一方のメッシュフェンス２ａ及びコーナー部１を形成する他辺Ｓ２に沿って配設される他方のメッシュフェンス２ｂのそれぞれの一側端部２ｃを接続して支柱３に固定するためのフェンス取付金具５とを備えて構成されている。
【００３０】
フェンス取付金具５は、金属製であり、一方のメッシュフェンス２ａを着脱可能に接続する第１フェンス取付部６と、他方のメッシュフェンス２ｂを着脱可能に接続する第２フェンス取付部７とを備えて構成されている。なお、フェンス取付金具５の材質を金属に限定する必要はない。
【００３１】
また、第１フェンス取付部６は、支柱３の一側面にボルト、ナット（固定手段８）を用いて接続固定される支柱接続部９と、支柱接続部９の一端部側に繋がり、支柱接続部９を支柱３の一側面に固定した状態でコーナー部１を形成する一辺Ｓ１に沿うように配設され、一方のメッシュフェンス２ａを接続するフェンス接続部１０と、支柱接続部９の他端部側に繋がり、支柱３の一側面を挟んでフェンス接続部１０と反対側に所定の長さで延出する持ち出し部１１とを備えて構成されている。
【００３２】
また、本実施形態では、支柱接続部９とフェンス接続部１０が段部１２を介して繋がっており、この段部１２によってフェンス接続部１０の一面１０ａが支柱接続部９の一面９ａよりも他面側に所定の奥行寸法をもって凹設されている。
なお、本発明はフェンス接続部１０の一方のメッシュフェンス２ａを接続する側の一面１０ａ７が支柱接続部９の支柱３に対して外側の一面９ａよりも他面側に凹設されていればよく、必ずしも段部１２を備えていなくてもよい。
【００３３】
本実施形態では、これら支柱接続部９、フェンス接続部１０、持ち出し部１１、段部１２は金属製の略板状に形成されており、第１フェンス取付部６は、支柱接続部９、フェンス接続部１０、持ち出し部１１のそれぞれ板面（一面及び他面）を横方向に向けて配設される。
【００３４】
また、支柱接続部９には、一面９ａから他面に貫通するボルト挿通孔１５が形成されている。そして、第１フェンス取付部６は、支柱３の一側面に支柱接続部９の他面を面接触させつつ支柱３に貫通形成されたボルト挿通孔と互いのボルト挿通孔を連通させ、連通した両ボルト挿通孔に支柱接続部９の一面９ａ側からボルト８を挿通するとともにナットを締結して、支柱３の所定位置に取り付けられる。
【００３５】
このように支柱接続部９を支柱３に固定して取り付けることによって、一方のメッシュフェンス２ａを設置する側にフェンス接続部１０が所定の長さで延出し、支柱３の一側面を挟んで反対側に持ち出し部１１が所定の長さで延出する。
【００３６】
なお、支柱接続部９に貫通形成されるボルト挿通孔は、コーナー部１の一辺Ｓ１に沿う方向に延びる長孔状に形成してもよい。この支柱接続部９のボルト挿通孔を長孔にすると、支柱３に対する支柱接続部９の固定位置を調節でき、フェンス接続部１０、持ち出し部１１らの延出長さを自在に調節することができる。
【００３７】
フェンス接続部１０は、一面１０ａから他面に貫通する貫通孔１３が形成されている。なお、この貫通孔を支柱接続部９を支柱３に固定して取り付けた状態でコーナー部１の一辺に沿う方向に延びる長孔状に形成してもよい。
【００３８】
さらに、本実施形態のフェンス接続部１０には、一面１０ａから突出してフェンス引掛部１４が設けられている。例えば、プレス加工によってフェンス接続部１０に孔をあけ、この孔によって成形された残部を折曲加工することによってフェンス引掛部１４が突出形成されている。
【００３９】
持ち出し部１１は、他方のメッシュフェンス２ｂの位置に第２フェンス取付部７の位置を合わせるために必要な長さで延出（突出）して形成されている。また、この持ち出し部１１の延出方向先端側には、支柱接続部９を支柱３に固定して取り付けた状態で回動軸線Ｏ１を支柱３の延設方向に沿う上下方向に向けて配される回動機構１６が設けられている。
【００４０】
一方、本実施形態の第２フェンス取付部７は、略板状に形成されており、板面を横方向に向けた状態で、その一端部を回動機構１６を介して第１フェンス取付部６の持ち出し部１１の先端側に接続して設けられている。このように回動機構１６を介して接続されていることによって、第１フェンス取付部６と第２フェンス取付部７は回動機構１６の上下方向に延びる回動軸線Ｏ１周りに相対的に回動自在に接続されている。
【００４１】
また、第２フェンス取付部７は、一面から他面に貫通する貫通孔１７が形成されており、この貫通孔１７が支柱接続部９を支柱３に固定して取り付けた状態でコーナー部１の他辺Ｓ２に沿う方向に延びる長孔状に形成されている。
【００４２】
そして、上記構成からなる本実施形態のフェンスの取付構造Ａを用いてコーナー部１のメッシュフェンス２ａ、２ｂを取り付ける際には、まず、１本の支柱３をコーナー部１の所定位置に立設する。
【００４３】
次に、この支柱３と第１フェンス取付部６の支柱接続部９の互いのボルト挿通孔が連通するようにフェンス取付金具５を配設するとともに、連通したボルト挿通孔にボルト８を挿通しナットを締結してフェンス取付金具５を支柱３の所定位置に取り付ける。
【００４４】
フェンス取付金具５を支柱３の所定位置に取り付けると、第１フェンス取付部６のフェンス接続部１０がコーナー部１を形成する一辺Ｓ１に沿って配設されるため、このフェンス接続部Ｓ１に一方のメッシュフェンス２ａの一側端部２ｃを接続固定する。
【００４５】
本実施形態では、棒状の軸部１８ａの先端にフック部１８ｂを備えたフックボルト１８を用い、フック部１８ｂを一方のメッシュフェンス２ａの横筋２ｅ（あるいは縦筋２ｄ）に引っ掛けつつ軸部１８ａをフェンス接続部１０の貫通孔１３に挿通し、この軸部１８ａの先端側にナット１９を締結して固定するように構成されている。
【００４６】
なお、必ずしも上記の固定手段を用いることに限定する必要はない。例えば、フェンス接続部１０との間に一方のメッシュフェンス２ａの一側端部２ｃを挟み込むように、ボルト挿通孔を備えた略平板状の添え板を設置し、フェンス接続部１０と添え板のボルト挿通孔にボルト（固定手段）を挿通してナットを締結するようにしてもよい。この場合においても、一方のメッシュフェンス２ａを所定位置に配置した状態で支柱３に接続して保持することができる。
【００４７】
また、本実施形態では、このとき、フェンス接続部１０にフェンス引掛部１４が突設されているため、一方のメッシュフェンス２ａの横筋２ｅをフェンス引掛部１４に引掛けることによって一方のメッシュフェンス２ａを仮設置することができる。このため、ボルト１９とナットによる接続固定作業時に一方のメッシュフェンス２ａを作業者が常時支える必要がない。
【００４８】
さらに、段部１２によって、第１フェンス取付部のフェンス接続部１０の一面１０ａが支柱接続部９の一面９ａよりも他面側に所定の奥行寸法で凹設されている。このため、フェンス接続部１０に一方のメッシュフェンス２ａを取り付けた状態で、支柱接続部９を支柱３に接続固定するボルト８などに干渉することがなく、支柱３の一側面に対して一方のメッシュフェンス２ａの横筋２ｅを好適な位置、例えば支柱３の一側面を含む同一面上に配置することができる。
【００４９】
一方、回動機構１６によって第２フェンス取付部７を第１フェンス取付部６に対して所定の交差角度θになるように、すなわちコーナー部１を形成する他辺Ｓ２に沿うように配置し、この第２フェンス取付部７に他方のメッシュフェンス２ｂの一側端部２ｃを接続する。
【００５０】
このとき、第１フェンス取付部６に所定の長さの持ち出し部１１が設けられているため、支柱接続部９を支柱３に接続するとともに自動的に回動機構１６の回動軸線（回動軸）Ｏ１の位置が所定の位置に配される。これにより、確実に第２フェンス取付部７をコーナー部１を形成する他辺Ｓ２に沿って配設することができる。
【００５１】
また、第２フェンス取付部７に他方のメッシュフェンス２ｂの一側端部２ｃを接続固定する手段は特に限定する必要はなく、例えば、第１フェンス取付部７に一方のメッシュフェンス２ａの一側端部２ｃを接続固定する場合と同様の手段を用いればよい。
【００５２】
ここで、第１フェンス取付部６だけでなく、第２フェンス取付部７にフェンス引掛部１４を設け、他方のメッシュフェンス２ｂの接続固定時に、他方のメッシュフェンス２ｂを第２フェンス取付部７のフェンス引掛部１４に引っ掛けて仮設置できるようにしてもよい。
【００５３】
また、図１、図２ではコーナー部１の角度、ひいては一方のメッシュフェンス２ａと他方のメッシュフェンス２ｂの交差角度θが９０°であるように図示しているが、特に交差角度θを限定する必要はない。
【００５４】
したがって、本実施形態のフェンスの取付構造においては、第１フェンス取付部６の支柱接続部９をボルト、ナット等を用いて支柱３の所定位置に接続して固定することにより、第１フェンス取付部６のフェンス接続部１０をコーナー部１の一辺Ｓ１に沿って、第２フェンス取付部７をコーナー部１の他辺Ｓ２に沿って配設することができる。
【００５５】
そして、第１フェンス取付部６のフェンス接続部１０に一方のメッシュフェンス２ａを、第２フェンス取付部７に他方のメッシュフェンス２ｂをそれぞれ接続して固定することによって、各メッシュフェンス２ａ、２ｂをコーナー部１の一辺Ｓ１と他辺Ｓ２にそれぞれ沿うように、所定の交差角度θで配設することが可能になる。
【００５６】
よって、本実施形態のフェンスの取付構造Ａによれば、１本の支柱３でコーナー部１の一方のメッシュフェンス２ａと他方のメッシュフェンス２ｂの両側端部２ｃを固定して精度よく、容易に設置することができ、従来と比較し、施工コストや材料コストを削減することが可能になる。
【００５７】
また、このとき、第１フェンス取付部６が段部１２を備え、フェンス接続部１０の一面１０ａが支柱接続部９の一面９ａよりも他面側に凹設されている。このため、フェンス接続部１０に一方のメッシュフェンス２ａを取り付ける際に、支柱接続部９を支柱３に接続固定するボルト８などに一方のメッシュフェンス２ａが干渉することを確実に防止できる。また、支柱３（支柱接続部９を接続固定する支柱３の側面）に対して一方のメッシュフェンス２の横筋２ｅを好適な位置に配置することができる。例えば支柱接続部９を接続固定する支柱３の側面と同一面上に横筋２ｅを配して一方のメッシュフェンス２ａを取り付けることができる。これにより、容易に見栄えよくコーナー部１の一方のメッシュフェンス２ａを設置することができる。
【００５８】
具体的に、本実施形態では、第１フェンス取付部６が段部１２を備え、フェンス接続部１０の一面（フェンス取付面）１０ａが支柱接続部９の一面９ａよりも他面側に凹設することによって、フェンス接続部１０のフェンス取付面（一面１０ａ）が支柱３のフェンス取付面と面一になるようにしている（同一面上に位置するようにしている）。
【００５９】
これにより、フェンス接続部１０の一面１０ａに一方のメッシュフェンス２ａの横筋２ｅをフックボルト１８で接続して一方のメッシュフェンス２ａを取り付ける際に、一方のメッシュフェンス２ａの側端部２ｃ側が支柱３に重ならないように（被らないように）することができる。これにより、容易にコーナー部１の一方のメッシュフェンス２ａを設置することができる。
【００６０】
また、コーナー部１を形成する一辺Ｓ１（他辺Ｓ２）方向に間隔をあけて配設する複数の支柱３は各支柱３のフェンス取付面が面一になるように施工して立設されるが、第１フェンス取付部６が段部１２を備えていないと、コーナー部１の支柱３のみを他の支柱３よりも内側にずらして立設する必要が生じてしまう。
すなわち、本実施形態のようにフェンス接続部１０の一面（フェンス取付面）１０ａが支柱接続部９の一面９ａよりも他面側に凹設されていることによって、コーナー部１の支柱３のみを他の支柱３よりも内側にずらして施工するという煩雑な作業を不要にでき、施工性を大幅に向上させることが可能になる。これにより、容易にコーナー部１の一方のメッシュフェンス２ａを設置することができる。
【００６１】
また、本実施形態のフェンスの取付構造Ａにおいては、第１フェンス取付部６のフェンス接続部１０にフェンス引掛部１４が突設されていることにより、一方のメッシュフェンス２ａの横筋２ｅをフェンス引掛部１４に引っ掛け、一方のメッシュフェンス２ａを仮設置することが可能になる。
【００６２】
これにより、ボルト１９、ナットなどで一方のメッシュフェンス２ａの一側端部２ｃをフェンス接続部１０に接続固定する際に、作業者が一方のメッシュフェンス２ａを常時支える必要がなく、その施工性を大幅に向上させることが可能になる。
【００６３】
なお、第１フェンス取付部６だけでなく、第２フェンス取付部７にフェンス引掛部１４を設け、他方のメッシュフェンス２ｂの接続固定時に、他方のメッシュフェンス２ｂを第２フェンス取付部７のフェンス引掛部１４に引っ掛けて仮設置し、上記と同様の作用効果が得られるようにしても勿論構わない。
【００６４】
また、本実施形態のフェンスの取付構造Ａにおいては、第１フェンス取付部６と第２フェンス取付部７が回動機構１６によって相対的に回動自在に接続されていることにより、コーナー部１を形成する一辺Ｓ１と他辺Ｓ２の任意の交差角度θに第１フェンス取付部６と第２フェンス取付部７の角度を容易に合わせることができる。
【００６５】
これにより、一方のメッシュフェンス２ａを第１フェンス取付部６のフェンス接続部１０に、他方のメッシュフェンス２ｂを第２フェンス取付部７にそれぞれ取り付けることで、コーナー部１の両メッシュフェンス２ａ、２ｂを任意の交差角度θで精度よく、容易に設置することが可能になる。
【００６６】
また、第１フェンス取付部６に、支柱接続部９を支柱３に接続固定した状態でフェンス接続部１０と反対側に所定の長さで延出する持ち出し部１１を設けることにより、この持ち出し部１１に回動機構１６を介して第２フェンス取付部７が回動自在に接続され、これにより、支柱接続部９を支柱３に接続するだけで、自動的に回動機構１６の回動軸線Ｏ１の位置を所定の位置に位置決めすることができる。よって、確実且つ容易に第２フェンス取付部７をコーナー部１を形成する他辺Ｓ２に沿って配設することが可能になる。
【００６７】
以上、本発明に係るフェンスの取付構造の一実施形態について説明したが、本発明は上記の一実施形態に限定されるものではなく、その趣旨を逸脱しない範囲で適宜変更可能である。
【符号の説明】
【００６８】
１      コーナー部（角部）
２      メッシュフェンス（フェンス本体）
２ａ    一方のメッシュフェンス
２ｂ    他方のメッシュフェンス
２ｃ    側端部
２ｄ    縦筋
２ｅ    横筋
３      支柱
４      金具
５      フェンス取付金具
６      第１フェンス取付部
７      第２フェンス取付部
８      固定手段（ボルト）
９      支柱接続部
９ａ    一面
１０    フェンス接続部
１０ａ  一面
１１    持ち出し部
１２    段部
１３    貫通孔
１４    フェンス引掛部
１５    ボルト挿通孔
１６    回動機構
１７    貫通孔
１８    フックボルト
１８ａ  軸部
１８ｂ  フック部
１９    ナット
Ａ      フェンスの取付構造
Ｂ      従来のフェンスの取付構造
Ｏ１    回動軸線
Ｓ１    コーナー部を形成する一辺
Ｓ２    コーナー部を形成する他辺
θ      交差角度
【図１】
2017040146.tif 000003
【図２】
2017040146.tif 000004
【図３】
2017040146.tif 000005
【図４】
2017040146.tif 000006
【図５】
2017040146.tif 000007